(57)【要約】【課題】てん真の支持状態の変動によるてんぷの動作の変動が最低限に抑えられ得るてんぷの耐振軸受機構、これを備えたてんぷ及びこれを備えた時計の提供【解決手段】時計２のてんぷ３の耐振軸受機構１は、スラスト軸受として働く受石１０と、ジャーナル軸受として働く穴石１７と、穴石１７を収容して該穴石１７を支える穴石枠２０と、該穴石枠２０を収容して該穴石枠２０を支えると共に大径の開口端側に係合部３６を備える耐振座体３０と、外周側において耐振座体３０の係合部３６で支持され内周側において受石１０を穴石枠２０に弾性的に押付けて保持する押さえばね３６とを有し、受石１０のうち耐振軸受機構１により支えられる軸４１の端面４５に対面し該軸４１の端面４５に当接する表面が外に突出するように湾曲した凸面１１からなる。受石１０の凸面１１が球面の一部からなる。【選択図】図１
2013088178.tif 000002
【特許請求の範囲】
【請求項１】
スラスト軸受として働く受石と、ジャーナル軸受として働く穴石と、穴石を収容して該穴石を支える穴石枠と、該穴石枠を収容して該穴石枠を支えると共に大径の開口端側に係合部を備える耐振座体と、外周側において耐振座体の係合部で支持され内周側において受石を穴石枠に弾性的に押付けて保持する押さえばねとを有するてんぷの耐振軸受機構であって、
受石のうち耐振軸受機構により支えられる軸の端面に対面し該軸の端面に当接する表面が外に突出するように湾曲した凸面からなるてんぷの耐振軸受機構。
【請求項２】
受石の凸面が球面の一部からなる請求項１に記載のてんぷの耐振軸受機構。
【請求項３】
受石が凸レンズ様の形状を有し、
穴石枠が筒状部及びその開口端側の拡径部を備え該拡径部のところで受石を支えるように構成され、
押さえばねが、外周側において耐振座体の係合部で支持され内周側において穴石枠の拡径部のところに受石を弾性的に押付けて保持するように構成されている
請求項１又は２に記載のてんぷの耐振軸受機構。
【請求項４】
受石が球体からなる請求項１又は２に記載のてんぷの耐振軸受機構。
【請求項５】
球状の受石が穴石に当接可能に穴石枠の円筒状領域内に配置され、
押さえばねが、外周側において耐振座体の係合部で支持され内周側において穴石枠の円筒状領域内で穴石の対向端面に受石を押付けることにより、穴石を介して受石を穴石枠に弾性的に押付けて保持するように構成されている
請求項４に記載のてんぷの耐振軸受機構。
【請求項６】
穴石枠のうち受石のほぞ受面を支える部位が円錐台状である請求項１から５までのいずれか一つの項に記載のてんぷの耐振軸受機構。
【請求項７】
請求項１から６までのいずれか一つの項に記載の耐振軸受機構を有するてんぷ。
【請求項８】
耐振軸受機構により支えられる軸がてん真からなり、てん真の両端部にあり該てん真の本体部よりも小径のほぞ部の端面が実際上平面状である請求項７に記載のてんぷ。
【請求項９】
請求項１から６までのいずれか一つの項に記載の耐振軸受機構又は請求項７若しくは８に記載のてんぷを有する時計。
【発明の詳細な説明】
【技術分野】
【０００１】
本発明はてんぷの耐振軸受機構、これを備えたてんぷ及びこれを備えた時計に係る。
【背景技術】
【０００２】
時計の使用者の手首の急激な動き等により手首にはめられた時計のてんぷに加わる軸方向（てん真の延在方向に平行な方向）ないし横方向（てん真の延在方向に対して直角な方向）の衝撃が緩和されるように、てん真の両端のほぞ部は耐振軸受機構で支持されている。この種の耐振軸受機構として、受石と、穴石と、受穴石を支える穴石枠と、該穴石枠を支える耐振座体と、耐振座体と穴石枠との間において受石を穴石枠に押付ける押さえばねとを有する耐振軸受機構は、知られている（特許文献１や特許文献２）。
【０００３】
より詳しくは、この種の耐振軸受機構１０１は、例えば、図１０並びに図１１の（ａ）及び（ｂ）に示したような構造であって、スラスト軸受として働く受石１１０と、ジャーナル軸受として働く穴石１１７と、筒状部１２１及びその開口端１２１ａ側の拡径部１２２を備え拡径部１２２において受石１１０を支えると共に筒状部１２１内で穴石１１７を支える穴石枠１２０と、該穴石枠１２０を支える耐振座体１３０と、耐振座体１３０と穴石枠１２０との間に配置されて受石１１０を穴石枠１２０の筒状部１２１の開口端部１２１ａに押付ける耐振押さえばね１３７とを有する。
【０００４】
耐振座体１３０は、耐振押さえばね１３７や耐振受石１１０や耐振穴石枠１２０などの部品全体を保持する。より詳しくは、耐振押さえばね１３７が耐振受石１１０及び耐振穴石枠１２０を保持しててんぷ１０３への衝撃力を吸収し、衝撃を受けた際の受石１１０及び穴石枠１２０の移動（変位）及び元の位置の方への復元を助ける。耐振受石１１０は、てんぷ１０３のてん真１４０の中心軸線Ｃの延在方向（軸方向）Ａ１，Ａ２の力に抗しててん真１４０を支える。耐振穴石枠１２０は、押さえばね１３７によって耐振座体１３０に弾性的に押付けられ衝撃等を受けた際には耐振座体に対して可動な可動枠であり、径方向Ｂの力を受ける穴石１１７を内部に収容しこれを支える。
【０００５】
この耐振軸受機構１０１は、機械式時計１０２のてんぷ１０３のてん真１４０の両端の小径ほぞ部１４１Ｆ，１４１Ｒにおいててん真１４０を支える。以下では、耐振軸受機構１０１Ｆ及び１０１Ｒ並びにその部品ないし要素について、同一の符号の後に添字Ｆ又はＲを付して示す。両者を区別しないとき又は総称するときは添字ＦやＲを省く。
【０００６】
受石１１０Ｆ，１１０Ｒのほぞ受面ないしスラスト軸受面１１１Ｆ，１１１Ｒは平面になっている。時計１０２の裏蓋側ないしてんぷ受側にあるてん真１４０のほぞ部１４１Ｆを支える耐振軸受機構（いわゆるてんぷ上軸受）１０１Ｆ及び時計１０２の文字板側にあるてん真１４０のほぞ部１４１Ｒを支える耐振軸受機構（いわゆるてんぷ下軸受）１０１Ｒは、実際上同様に構成されている。
【０００７】
ここで、てんぷ１０３は、耐振軸受機構１０１の形態の上下の耐振軸受１０１Ｆ，１０１Ｒに加えて、てん真１４０やてんわ１５０やひげぜんまい１５５を備え、裏蓋側の耐振軸受１０１Ｆにおいててんぷ受１０５に取付けられている。なお、てんぷ受１０５及び文字板側の耐振軸受１０１Ｒは、夫々、地板１０８に取付けられている。ひげぜんまい１５５は、てん真１４０の中心軸線Ｃのまわりの渦巻の形態を備え、うずまきの内周側端部でひげ玉１４３に取付けられうずまきの外周側端部でひげ持（図示せず）に取付けられていて、緩急針（図示せず）によりその渦巻（ばね）の実効長が調整される。
【０００８】
てんぷ１０３を含む調速脱進機１０４は、てんぷ１０３に加えて地板１０８で支持されたアンクル１０６及びがんぎ車１０７を有する。アンクル１０６は、ハコ先１６１で振り座の振り石１４４に係合され、入りつめ石及び出つめ石（図示せず）でがんぎ車１０７のがんぎ歯１６２に係合される。がんぎ車１０７はかな部１６４で四番車１７０に噛合されている。ぜんまい（図示せず）の動力で調速脱進機１０４を動作させる四番車１７０は、てんぷ１０３により規定された速度で間欠回転されるがんぎ車１０７により所定の回転速度で間欠回転される。
【０００９】
以上の如く構成された従来の耐振軸受機構１０１Ｆ，１０１Ｒを備えた従来のてんぷ１０３を有する従来の時計１０２では、図１３の（ａ）及び（ｂ）に示したようにてんぷ１０３が適切な状態ＰＳ０にある場合、時計２は適切な動作をする。すなわち、受石１１０Ｆ，１１０Ｒの平面状のほぞ受面１１１Ｆ，１１１Ｒがてん真１４０の中心軸線Ｃに対して垂直になるように裏蓋側及び文字板側の耐振軸受機構１０１Ｆ，１０１Ｒ及び該機構１０１Ｆ，１０１Ｒの受石１１０Ｆ，１１０Ｒが配置され且つてん真１４０の中心軸線Ｃが実際上傾いていない場合、裏蓋側の耐振軸受機構１０１Ｆが文字板側の耐振軸受機構１０１Ｒの上に位置する平姿勢ＰＰ１を採っても、文字板側の耐振軸受機構１０１Ｒが裏蓋側の耐振軸受機構１０１Ｆの上に位置する裏平姿勢ＰＰ２を採っても、てん真１４０は、下側に位置するほぞ部１４１Ｒ，１４１Ｆの端面１４５Ｒ，１４５Ｆのうち実際上中心軸線Ｃの通る位置Ｃ０Ｒ，Ｃ０Ｆにおいてその下側に位置する文字板側又は裏蓋側の耐振軸受機構１０１Ｒ，１０１Ｆの受石１１０Ｒ，１１０Ｆのほぞ受面１１１Ｒ，１１１Ｆと当接し、該位置Ｃ０Ｒ，Ｃ０Ｆを中心に回転されることになる。従って、てんぷ１０３は、時計１０２の姿勢ＰＰ１，ＰＰ２によらず、実際上同様に動作し得、姿勢差が最低限に抑えられ得る。
【００１０】
しかしながら、従来の耐振軸受機構１０１Ｆ，１０１Ｒを備えた従来のてんぷ１０３を有する従来の時計１０２において、裏蓋側の耐振軸受機構１０１Ｆが文字板側の耐振軸受機構１０１Ｒの上に位置する向きすなわち姿勢（以下では、「平姿勢」ともいう）ＰＰ１に時計１０２が配置されている場合と文字板側の耐振軸受機構１０１Ｒが裏蓋側の耐振軸受機構１０１Ｆの上に位置する向きすなわち姿勢（以下では、「裏平姿勢」ともいう）ＰＰ２に時計１０２が配置されている場合とでは、てんぷ１０３の状態が異なる状況が生じ得る。
【００１１】
例えば、図１４の（ａ）及び（ｂ）に示したように、てんぷ受１０５側ないし裏蓋側の受石１１０Ｆが少し（例えば１度程度）傾いた状態で押さえばね１３７Ｆによって穴石枠１２０Ｆに取付けられた状態ＰＳ１では、図１４の（ａ）に示した通り裏蓋側の耐振軸受機構１０１Ｆが文字板側の耐振軸受機構１０１Ｒの上に位置する平姿勢ＰＰ１に時計１０２が配置されている場合と、図１４の（ｂ）に示した通り文字板側の耐振軸受機構１０１Ｒが裏蓋側の耐振軸受機構１０１Ｆの上に位置する裏平姿勢ＰＰ２に時計１０２が配置されている場合とでは、てんぷ１０３の状態が異なる状況になる。なお、受石１１０Ｆの傾きは、典型的には、穴石枠１２０Ｆが耐振座体１３０Ｆに対して傾いた場合に生じる。
【００１２】
てんぷ受１０５側の受石１１０Ｆが傾いて取付けられた状態ＰＳ１にある場合において図１４の（ａ）に示したように文字板側の耐振軸受機構１０１Ｒが下側に位置していて文字板側の受石１１０Ｒがそのほぞ受面１１１Ｒでてん真１４０のほぞ１４１Ｒの端面を受ける平姿勢ＰＰ１では、図１３の（ａ）や（ｂ）の場合と実際上同様に、てん真１４０は、下側に位置するほぞ部１４１Ｒの端面１４５Ｒのうち実際上中心軸線Ｃの通る位置Ｃ０Ｒにおいてその下側に位置する文字板側の耐振軸受機構１０１Ｒの受石１１０Ｒのほぞ受面１１１Ｒと当接し、該位置Ｃ０Ｒを中心に回転されることになる。
【００１３】
これに対して、時計１０２が反転されて、図１４の（ｂ）に示したようにてんぷ受１０５側（裏蓋側）の耐振軸受機構１０１Ｆが下側に位置していててんぷ受１０５側の受石１１０Ｆがそのほぞ受面１１１Ｆでてん真１４０のほぞ１４１Ｆの端面を受ける姿勢ＰＰ２では、図１３の（ａ）や（ｂ）の場合や図１４の（ａ）の場合と異なり、てん真１４０は、中心軸線Ｃから離れていて、下側に位置するほぞ部１４１Ｆの端面１４５Ｆのうち受石１１０の傾斜方向と一致する側の端縁ＣａＦにおいてその下側に位置するてんぷ受１０５側の耐振軸受機構１０１Ｆの受石１１０Ｆのほぞ受面１１１Ｆと当接する。従って、てん真１４０の回転中心ＣａＦは、該てん真１４０の中心軸線Ｃとは異なり該中心軸線ＣからΔｐｒ（ほぞ部１４１の半径に相当する大きさで、数１０μｍ程度である）離れた点ＣａＦ（Ｃａ）になり、回転軸が安定しない。
【００１４】
従って、この状態ＰＳ１にある場合、時計１０２が平姿勢ＰＰ１を採るときと裏平姿勢ＰＰ２を採るときとで、てんぷ１０３の動作が異なり、相当程度の歩度の差が生じるのを避け難い。
【００１５】
また、例えば、図１５の（ａ）及び（ｂ）（特に図１５の（ｂ））に示したように、裏平姿勢ＰＰ２において、てん真１４０の中心軸線Ｃが傾いている場合ＰＳ２も、図１４の（ａ）及び（ｂ）の場合ＰＳ１と同様に、てん真１４０は、中心軸線Ｃから離れていて、下側に位置するほぞ部１４１Ｆの端面１４５Ｆのうちてん真１４０の中心軸線Ｃの傾斜方向と一致する側の端縁ＣａＦにおいてその下側に位置するてんぷ受１０５側の耐振軸受機構１０１Ｆの受石１１０Ｆのほぞ受面１１１Ｆと当接する。従って、てん真１４０の回転中心ＣａＦは、該てん真１４０の中心軸線Ｃとは異なり該中心軸線ＣからΔｐｒ（ほぞ部１４１の半径に相当する大きさで、数１０μｍ程度である）離れた点ＣａＦ（Ｃａ）になり、回転軸が安定しない。
【００１６】
この状態ＰＳ２にある場合にも、時計１０２が平姿勢ＰＰ１を採るときと裏平姿勢ＰＰ２を採るときとで、てんぷ１０３の動作が異なり、相当程度の歩度の差が生じるのを避け難い。
【００１７】
なお、てん真１４０の中心軸線Ｃが傾くのは、例えば、てんわ１５０の周方向の重量バランスがずれている場合に生じ得る。なお、厳密に言えば、例えば、渦巻きばねの形態のひげぜんまい１５５の巻上げ動作やほどけ動作の際にひげ玉１４３を介しててん真１４０にトルクが加えられることに応じててん真１４０の中心軸線Ｃは多少なりとも傾いたり該傾きが多少なりとも変動する。
【００１８】
更に、図１６の（ａ）及び（ｂ）に示したように、てんぷ受１０５側のほぞ１４１Ｆの端面１４５Ｆがてん真１４０の中心軸線Ｃに対して傾斜している状態ＰＳ３の場合も、裏平姿勢ＰＰ２において、端面１４５Ｆのうち傾斜に伴って突出した端縁ＣａＦがその下側に位置するてんぷ受１０５側の耐振軸受機構１０１Ｆの受石１１０Ｆのほぞ受面１１１Ｆと当接する。従って、てん真１４０の回転中心ＣａＦは、該てん真１４０の中心軸線Ｃとは異なり該中心軸線ＣからΔｐｒ（ほぞ部１４１の半径に相当する大きさで、数１０μｍ程度である）離れた点ＣａＦ（Ｃａ）になり、回転軸が安定しない。
【００１９】
この状態ＰＳ３にある場合にも、時計１０２が平姿勢ＰＰ１を採るときと裏平姿勢ＰＰ２を採るときとで、てんぷ１０３の動作が異なり、相当程度の歩度の差が生じるのを避け難い。
【００２０】
一方、時計１０２が平姿勢ＰＰ１を採る場合と裏平姿勢ＰＰ２を採る場合とで上述のような種々の理由で歩度に差異が生じる虞れが高くなるのを避けるべく、てん真１４０のほぞ１４１Ｆ，１４１Ｒの端面１４５Ｆ，１４５Ｒを平面状にしておく代わりに、該端面ないしほぞ先１４５Ｆ，１４５Ｒを凸状に湾曲させることも提案されている。
【００２１】
しかしながら、ほぞ１４１Ｆ，１４１Ｒの直径は通常高々０．１ｍｍ程度であるので、凸状湾曲面の形状の寸法精度を高く保ち難く、凸状湾曲面の形状のバラツキに伴ってほぞ丈のバラツキ換言すればてん真１４０の長さのバラツキが大きくなると、平姿勢ＰＰ１と裏平姿勢ＰＰ２とでひげぜんまい１５５の形状に差異が生じる虞れが高くなる。従って、本来はてん真１４０の中心軸線Ｃに対して垂直な平面内で渦巻状に延在すべきひげぜんまい１５５が、例えば、時計が平姿勢ＰＰ１にある場合又は裏平姿勢ＰＰ２にある場合において多少なりともロート状になってそのばね特性が変動し、歩度差を生じさせる虞れが高くなるのを避け難い。
【先行技術文献】
【特許文献】
【００２２】
【特許文献１】特開２００９-１３９１８０号公報
【特許文献２】特許第４５９８７０１号公報
【発明の概要】
【発明が解決しようとする課題】
【００２３】
本発明は、前記諸点に鑑みなされたものであって、その目的とするところは、てん真の支持状態の変動によるてんぷの動作の変動が最低限に抑えられ得るてんぷの耐振軸受機構、これを備えたてんぷ及びこれを備えた時計を提供することにある。
【課題を解決するための手段】
【００２４】
本発明のてんぷの耐振軸受機構は、前記目的を達成すべく、スラスト軸受として働く受石と、ジャーナル軸受として働く穴石と、穴石を収容して該穴石を支える穴石枠と、該穴石枠を収容して該穴石枠を支えると共に大径の開口端側に係合部を備える耐振座体と、外周側において耐振座体の係合部で支持され内周側において受石を穴石枠に弾性的に押付けて保持する押さえばねとを有するてんぷの耐振軸受機構であって、受石のうち耐振軸受機構により支えられる軸の端面に対面し該軸の端面に当接する表面が外に突出するように湾曲した凸面からなる。
【００２５】
本発明のてんぷの耐振軸受機構では、「受石のうち耐振軸受機構により支えられる軸の端面に対面し該軸の端面に当接する表面が外に突出するように湾曲した凸面からなる」ので、穴石枠と押さえばねとで保持される受石が傾いたり、軸の中心軸線（重心線）が傾いたり、軸の端面が傾いたりしても、「受石のうち耐振軸受機構により支えられる軸の端面に対面し該軸の端面に当接する表面」が「平面」である場合と比較して、これらの傾斜に伴う回転支持部の位置ズレが最低限に抑えられる。従って、例えば、時計の姿勢が歩度に与える影響を最低限に抑えることも可能になる。また、「受石の表面（ほぞ受面）が外に突出するように湾曲した凸面である」ので、回転支持されるべき軸の端面に対して実際上一点で当接して支持し得るから、軸の回転が安定し易い。なお、この場合、てんぷの耐振軸受機構によって支持されるべき軸（てん真）の端部の端面ないし該端部（ほぞ部）の先端（ほぞ先）を平面状にし得るので、軸（てん真）の長さのバラツキを最低限に抑え得る。
【００２６】
本発明のてんぷの耐振軸受機構では、典型的には、受石の凸面が球面の一部からなる。
【００２７】
その場合、受石の凸面が正確に乃至高精度に形成され易い。なお、凸面は、広義にみて球面を含む回転楕円体面であれば、所望ならば、他の形状でもよい。凸面が外向きに凸の滑らかに湾曲した形状であれば、凸面に回転対称性がなくてもよい。但し、受石の傾きの如きてん真の支持状態の変動が歩度の如きてんぷの動作に与える影響（動作の変動）を最低限に抑えるためには、部分球状面（球面の一部）であることが好ましい。
【００２８】
本発明のてんぷの耐振軸受機構では、典型的には、受石が凸レンズ様の形状を有し、穴石枠が筒状部及びその開口端側の拡径部を備え該拡径部のところで受石を支えるように構成され、押さえばねが、外周側において耐振座体の係合部で支持され内周側において穴石枠の拡径部のところに受石を弾性的に押付けて保持するように構成される。
【００２９】
その場合、耐振軸受機構の厚さを最低限に抑えた状態で、且つ該軸受機構に対面する軸の端面が平面であっても、てん真の支持状態の変動によるてんぷの動作の変動が最低限に抑えられ得、平姿勢や裏平姿勢の如き姿勢差による動作の変動も最低限に抑えられ得る。
【００３０】
本発明のてんぷの耐振軸受機構の別の典型的な例では、受石が球体からなる。
【００３１】
その場合、受石が高寸法精度で形成され、てんぷの動作変動も最低限に抑えられ得る。
【００３２】
また、この別の典型的な例の場合、球状の受石が穴石に当接可能に穴石枠の円筒状領域内に配置され、押さえばねが、外周側において耐振座体の係合部で支持され内周側において穴石枠の円筒状領域内で穴石の対向端面に受石を押付けることにより、穴石を介して受石を穴石枠に弾性的に押付けて保持するように構成されている。
【００３３】
その場合、受石が球体（ボール）の形態であることによる厚さの増大が最低限に抑えられた状態で、受石が球体（ボール）であることの利点が享受され得る。
【００３４】
本発明のてんぷの耐振軸受機構では、典型的には、穴石枠のうち受石のほぞ受面を支える部位が円錐台状である。
【００３５】
その場合、てんぷの動作の変動を最低限に抑え得る。円錐台状の代わりに球状でもよい。
【００３６】
本発明のてんぷは、前記目的を達成すべく、上述のような耐振軸受機構を有する。
【００３７】
本発明のてんぷでは、耐振軸受機構により支えられる軸がてん真からなり、てん真の両端部にあり該てん真の本体部よりも小径のほぞ部の端面が実際上平面状である。
【００３８】
その場合、てん真の長さが高い寸法精度で得られ、その結果、時計が平姿勢であるか裏平姿勢であるかによる歩度の変動が最低限に抑えられ得る。
【００３９】
本発明の時計は、前記目的を達成すべく、上述のような耐振軸受機構又は上述のようなてんぷを有する。
【図面の簡単な説明】
【００４０】
【図１】本発明の好ましい一実施例の耐振軸受機構を備えた本発明の好ましい一実施例のてんぷを有する本発明の好ましい一実施例の時計の一部を示した断面説明図。
【図２】図１のてんぷの耐振軸受機構を示したもので、（ａ）は平面説明図、（ｂ）は断面説明図。
【図３】図１のてんぷの耐振軸受機構にてん真のほぞ部を含む一端部が嵌った状態を示した断面説明図。
【図４】図１の時計のてんぷの耐振軸受機構においててんぷ受側の受石が傾いた状態にある場合を示したもので、（ａ）は平姿勢にある時計においててんぷの耐振軸受機構及びてん真のほぞ部を含む両端部を示した断面説明図、（ｂ）は裏平姿勢にある時計においててんぷの耐振軸受機構及びてん真のほぞ部を含む両端部を示した断面説明図。
【図５】図１の時計のてんぷの耐振軸受機構において時計が裏平姿勢を採った際にてん真のほぞ部が傾いた状態になる場合を示したもので、（ａ）は平姿勢にある時計においててんぷの耐振軸受機構及びてん真のほぞ部を含む両端部を示した断面説明図、（ｂ）は裏平姿勢にある時計においててんぷの耐振軸受機構及びてん真のほぞ部を含む両端部を示した断面説明図。
【図６】図１の時計のてんぷの耐振軸受機構においててん真のほぞ部のうちてんぷ受側のほぞ部の端面が傾いた状態にある場合を示したもので、（ａ）は平姿勢にある時計においててんぷの耐振軸受機構及びてん真のほぞ部を含む両端部を示した断面説明図、（ｂ）は裏平姿勢にある時計においててんぷの耐振軸受機構及びてん真のほぞ部を含む両端部を示した断面説明図。
【図７】本発明の別の好ましい一実施例の耐振軸受機構を示したもので、（ａ）は平面説明図、（ｂ）は断面説明図。
【図８】図７の耐振軸受機構にてん真のほぞ部を含む一端部が嵌った状態を示した本発明の別の好ましい一実施例のてんぷの一部を示した断面説明図。
【図９】図７の耐振軸受機構を有するてんぷにおいて種々の条件下での回転中心の位置ズレの程度を示したもので、（ａ）はてん真及び受石が所定の状態にある基準の場合を示した断面説明図、（ｂ）は受石が傾いた状態にある場合を示した断面説明図、（ｃ）はてん真が傾いた状態にある場合を示した断面説明図。
【図１０】従来の耐振軸受機構を備えた従来のてんぷを有する従来の時計の一部を示した断面説明図。
【図１１】図１０の時計の従来の耐振軸受機構を示したもので、（ａ）は平面説明図、（ｂ）は断面説明図。
【図１２】図１０のてんぷの耐振軸受機構にてん真のほぞ部を含む一端部が嵌った状態を示した断面説明図。
【図１３】図１０の時計のてんぷの耐振軸受機構が適切に動作し得る場合の状態を示したもので、（ａ）は平姿勢にある時計においててんぷの耐振軸受機構及びてん真のほぞ部を含む両端部を示した断面説明図、（ｂ）は裏平姿勢にある時計においててんぷの耐振軸受機構及びてん真のほぞ部を含む両端部を示した断面説明図。
【図１４】図１０の時計のてんぷの耐振軸受機構においててんぷ受側の受石が傾いた状態にある場合を示したもので、（ａ）は平姿勢にある時計においててんぷの耐振軸受機構及びてん真のほぞ部を含む両端部を示した断面説明図、（ｂ）は裏平姿勢にある時計においててんぷの耐振軸受機構及びてん真のほぞ部を含む両端部を示した断面説明図。
【図１５】図１０の時計のてんぷの耐振軸受機構において時計が裏平姿勢を採った際にてん真のほぞ部が傾いた状態になる場合を示したもので、（ａ）は平姿勢にある時計においててんぷの耐振軸受機構及びてん真のほぞ部を含む両端部を示した断面説明図、（ｂ）は裏平姿勢にある時計においててんぷの耐振軸受機構及びてん真のほぞ部を含む両端部を示した断面説明図。
【図１６】図１０の時計のてんぷの耐振軸受機構においててん真のほぞ部のうちてんぷ受側のほぞ部の端面が傾いた状態にある場合を示したもので、（ａ）は平姿勢にある時計においててんぷの耐振軸受機構及びてん真のほぞ部を含む両端部を示した断面説明図、（ｂ）は裏平姿勢にある時計においててんぷの耐振軸受機構及びてん真のほぞ部を含む両端部を示した断面説明図。
【発明を実施するための形態】
【００４１】
本発明の好ましい一実施の形態を添付図面に示した好ましい一実施例に基づいて説明する。
【実施例】
【００４２】
図１には、本発明の好ましい一実施例の耐振軸受機構１を備えた本発明の好ましい一実施例のてんぷ３を有する本発明の好ましい一実施例の時計２の一部が示され、図２の（ａ）及び（ｂ）には時計２の耐振軸受機構１が拡大して示され、図３には耐振軸受機構１を含むてんぷ３のてん真の一端側部分が拡大して示されている。
【００４３】
機械式時計２では、調速脱進機４はてんぷ３とアンクル６とがんぎ車７とを有する。調速脱進機４を構成するこれらの時計部品３，６，７は地板８によって支持されている。アンクル６は、ハコ先６１で振り座の振り石４４に係合され、入つめ石及び出つめ石（図示せず）でがんぎ車７のがんぎ歯６２に係合される。がんぎ車７はかな部６４で四番車７０に噛合されている。ぜんまい（図示せず）の動力で調速脱進機４のがんぎ車７を動作させる四番車７０は、てんぷ３により規定された速度で間欠回転されるがんぎ車７により所定の回転速度で間欠回転される。
【００４４】
てんぷ３は、てん真４０と、てんわ５０と、ひげぜんまい５５とを有し、てん真４０は上下（裏蓋側及び文字板側）の小径端部であるほぞ部４１Ｆ，４１Ｒにおいて耐振軸受機構の形態の上下の耐振軸受ないしてんぷ上軸受１Ｆ及びてんぷ下軸受１Ｒにより回転自在に支持されている。ほぞ部４１Ｆ，４１Ｒの端面４５Ｆ，４５Ｒは実際上中心軸線Ｃに対して垂直な平面になっている。従って、ほぞ部の端面ないしほぞ先を凸状に湾曲した面にする場合と比較して、ほぞ丈を正確に形成し得るので、てん真４０の長さや形状を正確に形成し易く、ほぞ先の組付け状態のバラツキが最低限に抑えられ得る。
【００４５】
なお、以下において、耐振軸受機構１Ｆ及び１Ｒ並びにその部品ないし要素について、同一の符号の後に添字Ｆ又はＲを付して示す。両者を区別しないとき又は総称するときは添字ＦやＲを省く。
【００４６】
てんぷ下軸受すなわち下側ないし文字板側の耐振軸受機構１Ｒは地板８に取付けられ、てんぷ上軸受すなわち上側ないし裏蓋側の耐振軸受１Ｆはてんぷ受５を介して地板８に取付けられている。てん真４０は、また、ほぞ部４１Ｆ，４１Ｒよりも中間部側に該ほぞ部４１Ｆ，４１Ｒよりも大径であるけれどもてん真４０の他の部分よりも小径の端部軸部４２Ｆ，４２Ｒを有する。ひげぜんまい５５は、てん真４０の中心軸線（重心軸）Ｃのまわりの渦巻の形態を備え、渦巻の内周側端部においてひげ玉４３に取付けられ、渦巻の外周側端部においてひげ持（図示せず）に取付けられていて、緩急針（図示せず）によりその渦巻（ばね）の実効長が調整される。
【００４７】
上下の耐振軸受１Ｆ，１Ｒは、実際上同一の構造及び形状を有するので、両者を区別する必要がない限り、耐振軸受機構ないし耐振軸受１として説明する。
【００４８】
てんぷ軸受一式ないし耐振軸受一式すなわち耐振軸受機構１は、スラスト軸受として働く受石ないし耐振受石１０と、ジャーナル軸受として働く穴石１７と、穴石１７を支える穴石枠ないし耐振穴石枠２０と、受石１０及び穴石枠２０を支える耐振座体３０と、押さえばねないし耐振押さえばね３７とを有する。
【００４９】
耐振軸受機構１は、機械式時計２のてんぷ３のてん真４０の両端の小径ほぞ部４１Ｆ，４１Ｒにおいててん真４０を支える。受石１０Ｆ，１０Ｒのほぞ受面ないしスラスト軸受面１１Ｆ，１１Ｒは部分球面（半径の大きな球面の一部）になっている。受石１０Ｆ，１０Ｒのほぞ受面１１Ｆ，１１Ｒは、外に凸状に滑らかに湾曲した曲面（凸面）で回転対称性がある限り、部分球面（半径の大きな球面の一部）でなくてもよい。
【００５０】
受石１０は、上述のような凸レンズのような部分球状の端面１１，１２を有する。端面１１，１２の部分球状面が同一である場合、組付けの際に表裏の識別が不要である。但し、端面１２は、径の異なる部分球面状であっても、部分球状である代わりに、例えば、平面状等他の形状であってもよい。耐振受石１０は、てんぷ３のてん真４０の中心軸線Ｃの延在方向（軸方向）Ａ１，Ａ２（区別しないか総称するときはＡ方向という）の力を受ける。
【００５１】
穴石１７は、概ね円板状であって、中心にほぞ孔１８を備え、外周面１７ａは円筒状である。一方の端面１７ｂにはほぞ孔１８への案内用凹部１７ｃが形成されている。他方の端面１７ｄは典型的には平面状である。但し、場合によっては、受石１０の凸面１１との間に適度な間隙が保たれ易いように、凹状に湾曲していてもよい。
【００５２】
耐振座体３０は、小径筒状部３１と、大径筒状部３２と、てん真４０の端部軸部４２が遊嵌される端部軸部受容孔３３ａを備えた端部フランジ状部３３と、接続フランジ状部３４と、傾斜面部３５ａ，３５ｂと、径方向内向き係合部３６とを有する。端部フランジ状部３３は小径フランジ状部３１の一端に形成され、大径筒状部３２は小径筒状部３１よりも大径で、その一端側において接続フランジ状部３４を介して小径筒状部３１の他端につながっている。径方向内向き係合部３６は、大径筒状部３２の他端側に形成されている。端部軸部受容孔３３ａは、てん真４０の端部軸部４２の径よりも多少大きい。傾斜面部３５ａ，３５ｂは、夫々円錐台の外周面の形態であり、典型的には、両傾斜面部３５ａ，３５ｂは、同一の仮想的な円錐台の外周面の一部をなすように同様に且つ直線状に並んで配置されている。傾斜面部３５ａは端部フランジ状部３３の端部軸部受容孔３３ａの一端に形成され、傾斜面部３５ｂは小径筒状部３１のうち接続フランジ状部３４の近傍に形成されている。
【００５３】
穴石枠２０は、小径筒状部２１と、拡径部としての大径筒状部２２と、環状板状端部フランジ状部２３と、てん真４０の端部軸部４２が遊嵌される端部軸部受容孔２４ａを備えた円錐台状端部フランジ状部２４と、接続フランジ状部２５と、傾斜面部２６ａ，２６ｂとを有する。小径筒状部２１の内周面２１ａは円筒状であり、該小径筒状部２１に、穴石１７が嵌合される。環状板状端部フランジ状部２３は小径筒状部２１の一端に形成され、円錐台状端部フランジ状部２４はその大径側端部で環状板状端部フランジ状部２３の径方向内側端部につながって端部軸部受容孔２４ａを規定する端部軸部受容孔端部まで延びている。環状板状端部フランジ状部２３の内側端面２３ａは平面状であって、小径筒状部２１に嵌合された穴石１７の端面１７ｂに当接して該穴石１７を支持する。大径筒状部２２は小径筒状部２１よりも大径で、その一端側において接続フランジ状部２５を介して小径筒状部２１の他端につながっている。筒状部２１の開口端部としての接続フランジ状部２５の内面２５ａは円錐台状になっていて、受石１０のほぞ受面１１になっている凸レンズのような部分球状の端面１１の外側部分に当接して該部分球状端面１１で受石１０を支える。端部軸部受容穴２４ａは、てん真４０の端部軸部４２の径よりも多少大きい。傾斜面部２６ａ，２６ｂは、夫々円錐台の外周面の形態であり、典型的には、両傾斜面部２６ａ，２６ｂは、同一の仮想的な円錐台の外周面の一部をなすように同様に且つ直線状に並んで配置されていて、穴石枠２０が耐振座体３０内の所定位置に配置された際に、該耐振座体３０の傾斜面部３５ａ，３５ｂに当接する。傾斜面部２６ａは円錐台状端部フランジ状部２４の外周面に形成され、傾斜面部２６ｂは大径筒状部２２のうち接続フランジ状部２５の近傍の端部の外周面に形成されている。
【００５４】
耐振押さえばね３７は、三つ葉のクローバーの如き形状であって、大径部３８から突出した係合部３８ａ，３８ａ，３８ａで耐振座体３０の径方向内向き係合部３６に係合され、径方向内向きに延びたＵ字状係合部３９，３９，３９で受石１０の外側端面１２に係合して、該受石１０を穴石枠２０の接続フランジ状部２５の内面２５ａに押付ける。これにより、受石１０を介して穴石枠２０が傾斜面部２６ａ，２６ｂにおいて耐振座体３０の傾斜面部３５ａ，３５ｂに押付けられる。なお、耐振押さえばね３７は、受石１０を押え得る限り、三つ葉のクローバーの如き形状の代わりに他の形状でもよい。
【００５５】
従って、耐振押さえばね３７は耐振受石１０及び耐振穴石枠２０を弾性的に保持しててんぷ３の本体への衝撃力を吸収し、衝撃を受けた際の受石１０及び穴石枠２０の移動及び復元を可能にする。腕時計の形態の時計２を使用者が手首にはめた状態で使用者の手首の急激な動きにより軸方向の衝撃がてん真４０にかかると、てん真４０に働く軸方向力（衝撃）により受石１０がほぞ受面１１でほぞ４１の端面（ほぞ先）４５からＡ方向の力を受け、受石１０のＡ方向変位を許容して衝撃を吸収してほぞ部４１を保護する。また、使用者の手首の急激な動きにより横方向（軸方向に対して直角な方向）の衝撃がてん真４０にかかっててん真４０が中心軸線Ｃに対して直角な向きに力（衝撃）を受けると、ほぞ部４１からほぞ孔１８に当該向きの力が働くので、押さえばね３７のばね力に抗して穴石枠２０が該穴石枠２０の斜面２６ａ，２６ｂと耐振座体３０の斜面３５ａ，３５ｂとの係合面に沿って変位されて、衝撃が吸収されてほぞ部４１が保護される。いずれの場合も、衝撃がなくなると、押さえばねの力により多少なりとも元の位置に戻る。
【００５６】
以上の如く構成された本発明の好ましい一実施例の耐振軸受機構１Ｆ，１Ｒを備えた本発明の好ましい一実施例のてんぷ３を有する本発明の好ましい一実施例の機械式時計２において、種々の条件下で、裏蓋側の耐振軸受機構１Ｆが文字板側の耐振軸受機構１Ｒの上に位置する「平姿勢」Ｐ１に時計２が配置されている場合と文字板側の耐振軸受機構１Ｒが裏蓋側の耐振軸受機構１Ｆの上に位置する「裏平姿勢」Ｐ２に時計２が配置されている場合との差異の有無ないし差異の程度について、図４の（ａ）及び（ｂ）、図５の（ａ）及び（ｂ）、並びに図６の（ａ）及び（ｂ）を参照しつつ詳しく説明する。
【００５７】
受石１０Ｆ，１０Ｒが、てんぷ３のてん真４０の中心軸線Ｃに対して実際上垂直に配置され、部分球面状の受面１１Ｆ，１１Ｒが中心軸線Ｃのまわりで回転対称の状態にある場合、時計２が平姿勢Ｐ１を採る場合と裏平姿勢Ｐ２を採る場合とでてんぷ３のてん真４０の支持状態は実際上同一であるので、平姿勢Ｐ１及び裏平姿勢Ｐ２で歩度の差異は実際上ないことは、従来通りである。なお、このてんぷ３では、受石１０Ｆ，１０Ｒのほぞ受面１１Ｆ，１１Ｒが部分球面状であるので、該ほぞ受面１１Ｆ，１１Ｒは、てん真４０のほぞ部４１Ｆ，４１Ｒの端面４５Ｆ，４５Ｒに対して実際上一点で当接するから、てん真４０の回転が安定し易い。
【００５８】
図４の（ａ）及び（ｂ）に示したように、てんぷ受５側ないし裏蓋側の受石１０Ｆが少し（例えば１度程度）傾いた状態で押さえばね３７Ｆによって穴石枠２０Ｆに取付けられた状態Ｓ１では、厳密に言えば、図４の（ａ）に示したように時計２が平姿勢Ｐ１を採る場合と、図４の（ｂ）に示したように時計２が裏平姿勢Ｐ２を採る場合とでは、てんぷ３の状態が多少なりとも異なる状況になる。受石１０Ｆの傾きは、典型的には、穴石枠２０Ｆが傾斜面２６ａ，２６ｂにおいて耐振座体３０Ｆの傾斜面３５ａ，３５ｂに対してズレて耐振座体３０Ｆに対して傾いた場合に生じる。なお、このこと（時計が平姿勢を採る場合と裏平姿勢を採る場合とでてんぷの状態が異なること）自体は、従来の耐振軸受機構１０１Ｆ，１０１Ｒを備えた従来のてんぷ１０３を有する従来の時計１０２について図１４の（ａ）及び（ｂ）に関連して説明したのと同様であるけれども、平姿勢の場合と裏平姿勢の場合とにおけるてんぷの状態の差異の程度が、時計２と従来の時計１０２とでは異なる。
【００５９】
すなわち、時計２において、てんぷ受５側の受石１０Ｆが傾いて取付けられた状態Ｓ１にある場合において図４の（ａ）に示したように文字板側の耐振軸受機構１Ｒが下側に位置していて文字板側の受石１０Ｒがそのほぞ受面１１Ｒでてん真１４０のほぞ４１Ｒの端面４５Ｒを受ける平姿勢Ｐ１では、てん真４０が、下側に位置するほぞ部４１Ｒの端面４５Ｒのうち中心軸線Ｃの通る位置Ｃ０Ｒにおいてその下側に位置する文字板側の耐振軸受機構１Ｒの受石１０Ｒの部分球面状のほぞ受面１１Ｒに当接し、該当接位置Ｃ０Ｒを中心に中心軸線Ｃのまわりで回転されることは図１４の（ａ）の場合と実際上同じである。すなわち、この範囲では、てんぷ受５側ないし裏蓋側の受石１０Ｆが少し（例えば１度程度）傾いた状態で押さえばね３７Ｆによって穴石枠２０Ｆに取付けられていることによる影響が現れないことは、図１４の（ａ）の場合と実際上同じである。但し、厳密に言えば、この時計２では受石１０Ｒのほぞ受面１１Ｒが凸状に湾曲しているので、中心軸線Ｃに一致するところＣ０Ｒが確実に回転中心になる点で時計１０２の場合と異なり得る。
【００６０】
一方、時計２が反転されて、図４の（ｂ）に示したようにてんぷ受５側（裏蓋側）の耐振軸受機構１Ｆが下側に位置していててんぷ受５側の受石１０Ｆがそのほぞ受面１１Ｆでてん真４０のほぞ４１Ｆの端面４５Ｆを受ける裏平姿勢Ｐ２では、中心軸線Ｃの近傍におけるほぞ受面１１Ｆの輪郭に多少のズレが生じるとしても、図４の（ｂ）において想像線で示した通り、ほぞ受面１１Ｆの輪郭は１度程度の傾きが生じる前と概ね同様になる。特に、受石１０Ｆの概ね１度の傾きに伴いほぞ受面１１Ｆのうち接線が中心軸線Ｃに対して垂直になる部位ＣａＶは受面１１Ｆが中心軸線Ｃと交わる位置にほとんど一致する。すなわち、受石１０Ｆの傾きが耐振座体３０に対する穴石枠２０Ｆのズレ（面３５ａ，３５ｂに対する面２６ａ，２６ｂのズレ）によって生じるとすると、１度の回転に応じてほぞ受面１１Ｆが１度だけ概ね周方向に回転するとしても、ほぞ受面１１Ｆのうち中心軸線Ｃが交わる部位Ｃ０Ｆにおける接平面の向きは概ね一定に保たれ得るから、結果的にはほぞ受面１１Ｆのうち接平面が中心軸線Ｃに対して垂直になる部位ＣａＶは受面１１Ｆが中心軸線Ｃと交わる位置Ｃ０Ｆからほとんどずれない。従って、てん真４０は、下側に位置するほぞ部４１Ｆの端面４５Ｆのうち中心軸線Ｃの通る位置の近傍の点ＣａＶにおいてその下側に位置する文字板側の耐振軸受機構１Ｆの受石１０Ｆの部分球面状のほぞ受面１１Ｆと当接し、該位置ＣａＶを中心として中心軸線Ｃのまわりで回転される。なお、ほぞ受面１１Ｆが穴石枠２０Ｆの接続フランジ状部２５の円錐台状内面２５ａに沿ってずれても状況は同じである。
【００６１】
すなわち、部分球状の凸状湾曲ほぞ受面１１Ｆ，１１Ｒを備えた耐振軸受機構１Ｆ，１Ｒを具備するてんぷ３を有する機械式時計２では、図４の（ａ）及び（ｂ）に示したように、てんぷ受５側ないし裏蓋側の受石１０Ｆが少し（例えば１度程度）傾いた状態で押さえばね３７Ｆによって穴石枠２０Ｆに取付けられた状態Ｓ１では、図４の（ａ）に示したように時計２が平姿勢Ｐ１を採る場合と、図４の（ｂ）に示したように時計２が裏平姿勢Ｐ２を採る場合とでは、厳密にはてんぷ３の状態が多少なりとも異なる状況になるけれども、実際には、裏平姿勢Ｐ２を採った場合でも、耐振軸受機構１Ｆの部分球状の凸状湾曲ほぞ受面１１Ｆがてん真４０のほぞ部１Ｆの端面４５Ｆに当接する部位は、概ね中心軸線Ｃ上の位置ＣａＶにある。従って、平姿勢Ｐ１及び裏平姿勢Ｐ２で、てんぷ３は実際上同様に動作し得、歩度の差異が、図１４の（ａ）及び（ｂ）の場合よりもかなり小さくなる。
【００６２】
一方、図５の（ａ）及び（ｂ）（特に図５の（ｂ））に示したように、裏平姿勢Ｐ２において、てん真４０の中心軸線Ｃが多少（例えば、０．２度程度）傾く場合Ｓ２、てん真４０のほぞ部４１Ｆの端面４５Ｆが、てん真４０の中心軸線Ｃから多少離れた部位Ｃｂにおいてその下側に位置するてんぷ受５側の耐振軸受機構１Ｆの受石１０Ｆのほぞ受面１１Ｆと当接する。ここで、部位Ｃｂは、受石１０Ｆのほぞ受面１１Ｆの接平面が、傾斜した中心軸線Ｃを有するてん真４０のほぞ部４１Ｆの端面４５Ｆと平行になる部位（一致し得る部位）に相当する。
【００６３】
従って、てん真４０の回転中心Ｃｂは、該てん真４０の中心軸線Ｃとは異なり該中心軸線Ｃの通る部位からΔｒ（ほぞ部４１の半径の数分の１で１０μｍ程度である）離れたところに位置し、てん真４０は点Ｃｂを中心に回転することになる。
【００６４】
この状態Ｓ２にある場合には、時計２が平姿勢Ｐ１を採るときと裏平姿勢Ｐ２を採るときとで、てんぷ４の動作が実際上異なり、多少の歩度の差が生じるのを避け難い。但し、裏平姿勢Ｐ２を採るときの中心位置Ｃｂの中心Ｃからのズレはてん真４０のほぞ部４１の半径の数分の１程度になる点で、てん真４０のほぞ部４１の半径程度のズレが生じる（図１５の（ｂ））従来の時計１０２と比較して、裏平姿勢Ｐ２と平姿勢Ｐ１との歩度の差異が大幅に低減され得る。
【００６５】
なお、てん真４０の中心軸線Ｃが傾くのは、種々の原因がある。すなわち、てん真４０の中心軸線Ｃが傾く現象が生じる場合には、時計２の姿勢にかかわらず、従来の時計１０２と比較して、歩度に大きな差異が生じる虞れを低減させ得ることになる。そのような例としては、例えば、てんわ５０の重量のバランスが崩れていててんわ５０が傾く場合がある。また、厳密に言えば、例えば、ひげぜんまい５５の渦巻きが巻かれたりほどけたりする際にひげぜんまい５５からひげ玉４３を介しててん真４０にかかる力の故に、てん真４０の中心軸線Ｃの軸が多少なりとも傾くこともあり得る。そのような場合であっても、この耐振軸受機構１，１をてん真４０の両端に備えたてんぷ３では、従来のてんぷ１０２ようにほぞ受面１１１が平面である場合と異なってほぞ受面１１が部分球面であるので、てん真４０のほぞ部４１の端面４５の側縁ではなくて該端面４５のうち中心軸線Ｃの近傍の部位がほぞ受面１１の対応する傾斜の接平面の部位と当接し得る。従って、てん真４０の回転の中心が中心軸線Ｃからずれる程度が最低限に抑えられ得る。
【００６６】
また、図６の（ａ）及び（ｂ）に示したように、てんぷ受５側のほぞ４１Ｆの端面４５Ｆがてん真４０の中心軸線Ｃに対して傾斜している状態Ｓ３では、裏平姿勢Ｐ２において、傾斜した端面４５Ｆは、てんぷ受５側の耐振軸受機構１Ｆの受石１０Ｆのほぞ受面１１Ｆの傾斜が端面４５Ｆの傾斜に一致する部位Ｃｄで、受石１０Ｆのほぞ受面１１Ｆと当接する。この部位Ｃｄは、図５で示した部位Ｃｂと概ね一致する部位である。
【００６７】
すなわち、この状態Ｓ３にある場合にも、時計０２が平姿勢Ｐ１を採るときと裏平姿勢Ｐ２を採るときとで、てんぷ１０３の動作が異なるけれども、その差異は、図５の（ａ）及び（ｂ）の場合と同様であって、図１６の（ａ）及び（ｂ）に示した従来の時計１０２と比較して、裏平姿勢Ｐ２と平姿勢Ｐ１との歩度の差異が大幅に低減され得る。
【００６８】
従って、てん真４０の回転中心Ｃｄは、該てん真４０の中心軸線Ｃとは異なり該中心軸線Ｃから概ねΔｒ（ほぞ部４１の半径の数分の１で１０μｍ程度である）離れた点Ｃｄを中心に回転することになる。
【００６９】
なお、以上の如く、時計２では、受石１０の受面１１が部分球状に形成されているので、種々の傾き等があっても、回転中心がてん真４０の中心Ｃからズレるズレ量が小さくなるから、平姿勢Ｐ１や裏平姿勢Ｐ２等の姿勢による時計２の歩度の変動が最低限に抑えられ得る。
【００７０】
また、この時計２では、部分球状に形成されるのは、てん真４０のほぞ部４１Ｆ，４１Ｒの端面４５Ｆ，４５Ｒではなくて受石１０のほぞ受面１１Ｆ，１１Ｒであってその部分球面の径が大きいから、てん真４０の長さその他の量が大きく変動する虞れも少ない。
【００７１】
受石が部分球状のほぞ受面を備える代わりに、図７の（ａ）及び（ｂ）並びに図８に示したように、受石１０Ａが球体１３からなっていてもよい。図７の（ａ）及び（ｂ）並びに図８に示した耐振軸受構造体１Ａを備えたてんぷ３Ａにおいて、図１から図３に示した耐振軸受構造体１を備えたてんぷ３の要素と同一の要素には同一の符号が付され、対応するけれども異なるところのある要素には最後に添字Ａが付されている。なお、裏蓋側ないしてんぷ受側であることを示す添字「Ｆ」及び文字板側であることを示す添字「Ｒ」がある場合には、該添字Ｆ，Ｒの前に添字Ａが付される。
【００７２】
てんぷ３Ａの耐振軸受構造体１Ａでは、受石１０Ａが球体１３からなるので、受石１０Ａの寸法精度が高められ易い。また、てんぷ３Ａの耐振軸受構造体１Ａでは、受石１０Ａが球体１３からなるが故に時計２Ａの厚さ方向のサイズが大きくなるので、耐振座体３０Ａは、耐振座体３０の大径筒状部３２よりも大きい軸方向長さを備えた大径筒状部３２Ａを有する点を除いて、耐振座体３０と実際上同様に構成されている。
【００７３】
また、耐振軸受構造体１Ａでは、受石１０Ａが球体１３からなり、時計２Ａの厚さ方向のサイズが大きくなるので、耐振軸受構造体１の場合とは異なり、受石１０Ａが穴石枠２０Ａではなくて穴石１７Ａによって軸方向に支持されている。従って、穴石１７Ａの端面１７ｄＡが、受石１０Ａの球状面１４を受ける円錐台状面になっている。受石１０Ａのうち穴石１７Ａの円錐台状端面１７ｄＡに当接する球状面部１４の環状領域の内側がほぞ受面１１Ａになっている。
【００７４】
なお、押さえばね３７Ａは外周側係合部３８ａ，３８ａ，３８ａで耐振座体３０Ａの係合部３６に係合し、内周側のＵ字状係合部３９，３９，３９で球体１３の形態の受石１０Ａのうちほぞ受面１１Ａとは直径方向の反対側に位置する領域１２Ａを押圧する。
【００７５】
穴石枠２０Ａは、外周面部に着目する限り、穴石枠２０と概ね同様に構成され、小径筒状部２１に対応する外周小径筒状部２１Ａ、大径筒状部２２に対応する外周大径筒状部２２Ａ、及びこれらをつなぐ接続フランジ状部２５に対応する外形円錐台状接続フランジ状部２５Ａ等を有する。但し、受石１０Ａが受石１０と異なり厚さを抑えるべく小径である球体１３からなるので、受石１０Ａは穴石枠２０Ａの筒状内周面２１ａと概ね同様な筒状内周面２７内に配置される。なお、この筒状内周面２７は、外周大径筒状部２２Ａの内周面になっている。
【００７６】
以上の如く構成された耐振軸受構造体１Ａでは、図８に示したように、てんぷ３の
てん真４０のほぞ部４１が穴石１７Ａのほぞ孔１８に嵌合されてジャーナル軸受として働く該ほぞ孔１８の周面で支持され、ほぞ部４１の端面４５が球体１３の形態でスラスト軸受けとして働く受石１０Ａのほぞ受面部１１Ａに当接して該ほぞ受面部１１Ａで支持される。
【００７７】
図９は、図７の耐振軸受機構を有する図８のてんぷにおいて種々の条件下での回転中心の位置ズレの程度を示したものであり、図９の（ａ）はてん真及び受石が所定の状態にある基準の場合を示したものである。この場合、てん真４０のほぞ部４１がその端面４５の位置Ｃ０で球体１３の形態の受石１０Ａのほぞ受面１１Ａに当接する。この位置は、図４のＣ０Ｒに対応する位置であって、てん真４０の中心軸線Ｃ上にある。
【００７８】
図９の（ｂ）は受石が傾いた状態にある場合を示したもので、球体１３の形態の受石１０Ａが少し（例えば、１度程度）傾くとしても、受石１０Ａは球体１３の環状領域１４で穴石１７の円錐台状端面１７ｄＡで支持されているので、当該回転によっては、球体１３の形態の受石１０Ａとてん真４０のほぞ部４１の端面４５との当接位置Ｃｆは変わらず、実際上位置Ｃ０に保たれる。従って、受石１０Ａが傾いても、平姿勢Ｐ１であっても裏平姿勢Ｐ２であってもてんぷ３Ａが実際上同様に動作され得るから、姿勢が歩度に与える影響を最低限に抑え得る。
【００７９】
図９の（ｃ）ははてん真が傾いた状態にある場合を示したもので、てん真４０の傾斜に伴いほぞ部４１の端面４５が傾く。しかしながら、この耐振軸受機構１Ａを備えたてんぷ３Ａでは、耐振軸受機構１Ａの受石１０Ａが比較的小径の球体１３からなるので、当接位置が中心軸線Ｃ上の位置Ｃ０からわずかにずれるだけで接平面の傾きが大きく変わるから、多少傾斜したてん真４０のほぞ部４１の端面４５と丁度当接する部位が中心軸線Ｃから僅かに離れたところＣｇになる。その結果、てん真４０の傾きがてんぷ３Ａの回転に与える影響が最低限に抑えられ得る。
【符号の説明】
【００８０】
１，１Ａ  耐振軸受機構
２，２Ａ  機械式時計
３，３Ａ  てんぷ
４  調速脱進機
５  てんぷ受
６  アンクル
７  がんぎ車
８  地板
１０，１０Ｆ，１０Ｒ，１０Ａ  耐振受石
１１  部分球状端面（ほぞ受面）
１１Ｆ，１１Ｒ，１１Ａ  ほぞ受面
１２  端面
１２Ａ  領域
１３  球体
１４  球状面部
１７，１７Ｆ，１７Ｒ，１７Ａ  穴石
１７ａ  外周面
１７ｂ  端面
１７ｃ  案内用凹部
１７ｄ，１７ｄＡ  端面
１８  ほぞ孔
２０，２０Ｆ，２０Ｒ，２０Ａ  穴石枠
２１  小径筒状
２１Ａ  外周小径筒状部
２１ａ  内周面
２２  大径筒状部
２２Ａ  外周大径筒状部
２３  環状板状フランジ状部
２３ａ  内側端面
２４  円錐台状端部フランジ状部
２４ａ  端部軸部受容穴
２５  接続フランジ状部
２５Ａ  外形円錐台状フランジ状部
２５ａ  （円錐台状）内面
２６ａ，２６ｂ  傾斜面部
２７  筒状内周面
３０，３０Ｆ，３０Ｒ，３０Ａ  耐振座体
３１  小径筒状部
３２，３２Ａ  大径筒状部
３３  端部フランジ状部
３３ａ  端部軸部受容穴
３４  接続フランジ状部
３５ａ，３５ｂ  傾斜面部
３６  径方向内向き係合部
３７，３７Ｆ，３７Ｒ，３７Ａ  耐振押さえばね
３８  大径部
３８ａ  係合部
３９  Ｕ字状係合部
４０  てん真
４１，４１Ｆ，４１Ｒ  ほぞ部
４２，４２Ｆ，４２Ｒ  端部軸部
４３  ひげ玉
４４  振り石
４５，４５Ｆ，４５Ｒ  端面
５０  てんわ
５５  ひげぜんまい
６１  ハコ先
６２  がんぎ歯
６４  かな部
７０  四番車
Ａ，Ａ１，Ａ２  方向
Ｃ  てん真の中心軸線
Ｃ０Ｒ  接触位置
ＣａＶ  受石が傾いた際にほぞ受面が中心軸線に対して垂直になる部位
Ｃｂ  てん真のほぞ部の端面が耐振軸受機構の受石のほぞ受面と当接する部位（回転中心）
Ｃｄ  ほぞ部の傾斜した端面が受石のほぞ受面に当接する部位
Ｃｆ，Ｃｇ  球体の形態の受石がほぞ部の端面と当接する部位
Ｐ１  平姿勢
Ｐ２  裏平姿勢
Ｓ１  てんぷ受側の受石が傾いて取付けられた状態
Ｓ２  てん真の中心軸線が傾いた状態
Ｓ３  ほぞの端面がてん真の中心軸線に対して傾斜している状態
Δｒ  中心軸線から回転中心となる部位までの距離
【図１】
2013088178.tif 000003
【図２】
2013088178.tif 000004
【図３】
2013088178.tif 000005
【図４】
2013088178.tif 000006
【図５】
2013088178.tif 000007
【図６】
2013088178.tif 000008
【図７】
2013088178.tif 000009
【図８】
2013088178.tif 000010
【図９】
2013088178.tif 000011
【図１０】
2013088178.tif 000012
【図１１】
2013088178.tif 000013
【図１２】
2013088178.tif 000014
【図１３】
2013088178.tif 000015
【図１４】
2013088178.tif 000016
【図１５】
2013088178.tif 000017
【図１６】
2013088178.tif 000018